(57)【要約】      （修正有）【課題】昼間は金属の質感を有しながら夜はサインとしての役割を担える内照式擬態金属ケーシングを得る。【解決手段】ケーシングを構成する壁面の一部又は全部に、薄膜金属を蒸着したフィルムを貼った乳半アクリル板、表面に直接に薄膜金属を蒸着した乳半アクリル板又は表面に直接に薄膜金属を蒸着した有機ＥＬ板を使用する。ケーシングの内部に発光装置８を収納せしめる。それら薄膜金属の表面を保護材でコーティングする。【選択図】図１
0003139461.tif 000002
【実用新案登録請求の範囲】
【請求項１】
乳半アクリル板の表面に薄膜金属を蒸着したフィルムを貼り、当該薄膜金属の蒸着面を保護材でコーティングした構造の面材でケーシングを構成する壁面の一部又は全部を構成し、このケーシングの内部に発光装置を収納せしめたことを特徴とする内照式擬態金属ケーシング。
【請求項２】
乳半アクリル板の表面に直接に薄膜金属を蒸着し、当該薄膜金属の蒸着面を保護材でコーティングした構造の面材でケーシングを構成する壁面の一部又は全部を構成し、このケーシングの内部に発光装置を収納せしめたことを特徴とする内照式擬態金属ケーシング。
【請求項３】
有機ＥＬ板の表面に直接に薄膜金属を蒸着し、当該薄膜金属の蒸着面を保護材でコーティングした構造の面材でケーシングを構成する壁面の一部又は全部を構成したことを特徴とする内照式擬態金属ケーシング。
【考案の詳細な説明】
【技術分野】
【０００１】  本考案は金属固有の質感と重厚感に擬態しかつ発光体を兼ね備えた内照式擬態金属ケーシングに関する。
【考案の開示】
【考案が解決しようとする課題】
【０００２】  金属製看板、金属建材及び金属製の道具や器材類は金属質の重厚性や質感又は装飾性を有している。しかし、金属には光を反射することはできても発光性がないため夜間はその存在感が薄れる宿命があった。本考案は昼間は金属の質感を有しながら夜はサインとしての役割を担える内照式擬態金属ケーシングを得ることを目的とする。
【課題を解決するための手段】
【０００３】  乳半アクリル板の表面に薄膜金属を蒸着したフィルムを貼り、当該薄膜金属の蒸着面を保護材でコーティングした構造の面材でケーシングを構成する壁面の一部又は全部を構成し、このケーシングの内部に発光装置を収納せしめた。【０００４】  乳半アクリル板の表面に直接に薄膜金属を蒸着し、当該薄膜金属の蒸着面を保護材でコーティングした構造の面材でケーシングを構成する壁面の一部又は全部を構成し、このケーシングの内部に発光装置を収納せしめた。【０００５】  有機ＥＬ板の表面に直接に薄膜金属を蒸着し、当該薄膜金属の蒸着面を保護材でコーティングした構造の面材でケーシングを構成する壁面の一部又は全部を構成した。
【考案の効果】
【０００６】  金属製文字看板、マークは使用する金属独特の質感や重厚性又は装飾性を兼ね備えているが、夜間では視認性が乏しくその性質が充分に発揮出来ていない。本考案はそれぞれの金属において光を透過できるように、薄く金属蒸着する手段又は薄膜金属を蒸着したフィルムを使用する手段をもって、夜間において看板、マークの視認性を高めることが出来る。【０００７】  本考案により、昼間は金属製看板、マークとして視認できて夜間は所望の部位が発光するため目立つサインに変化し、従来に比べ視認性が格段に向上する。
【考案を実施するための最良の形態】
【０００８】  乳半アクリル板の表面に直接に薄膜金属を蒸着させて、その蒸着面を糊付け樹脂フィルムでラミネートするか又は樹脂材でコーティングして金属蒸着面を保護する。【０００９】  乳半アクリル板の表面に薄膜金属を蒸着してなるフィルムを糊付けし、その薄膜金属蒸着面を糊付け樹脂フィルムでラミネートするか又は樹脂材でコーティングして金属蒸着面を保護する。【００１０】  直接に有機ＥＬ板の表面に薄膜金属を蒸着させ、その薄膜金属蒸着面を糊付け樹脂フィルムでラミネートするか又は樹脂材でコーティングして金属蒸着面を保護する。【００１１】  ケーシング構成材の一部又は全部に、これらの乳半アクリル板や有機ＥＬ板を使用する。組立の際にはメンテナンス用の継ぎ手箇所を設けて、ビス止めにて解体可能と成す。
【実施例】
【００１２】  図１はケーシングの断面図であり、１は金属製底板である。当該金属性底板１の外縁から側板２の厚み分を控えた位置に立ち上げ壁３を設ける。立ち上げ壁３と金属製底板１が形成する入り隅４に半田付けを施して両者を固定する。金属底板１の外縁から側板２の厚み分を控えて立ち上げ壁３を設けることで段部ができ継ぎ手箇所を形成できる。側板２をその継ぎ手箇所から立ち上げる。側板２と立ち上げ壁３はその継ぎ手箇所においてビス５で解体可能にビス止めする。７は積層乳半アクリル板である。当該積層乳半アクリル板７の外縁から側板２の厚み分の切り欠きを設ける。切り欠きにより段部ができるのでこの部分に側板２の端をかまし入れる。積層乳半アクリル板７と側板２が形成する入り隅６に接着剤を施し両者を固定する。
尚、積層乳半アクリル板の積層とは本考案において図１乃至図４に示すそれぞれのイ図ロ図に示す構造をあえて積層と表現することの意味である。【００１３】  積層乳半アクリル板７の構造を図１（イ）で説明すると、アクリル板７ａに金属蒸着７ｂを直接に施している。その上に糊７ｃで樹脂フィルム７ｄを接着している。全体として積層乳半アクリル板７の光の透過率は１０パーセントから２５パーセントとなるように蒸着加減が望ましい。【００１４】  他の実施例として積層乳半アクリル板７の構造を図１（ロ）で説明すると、アクリル板７ａに糊７ｅで金属蒸着フィルム７ｆを接着する。その上に糊７ｃで樹脂フィルム７ｄを接着している。【００１５】  金属蒸着面は極めて薄いメッキ層であり屋外での風雨にさらされるとメッキが剥がれるおそれがあり、これを防ぐ為に金属蒸着面を樹脂フィルムでラミネートするか又は樹脂材でコーティングする。【００１６】  積層乳半アクリル板７及びラミネート材或いはコーティング材を合わせた全体としての光の透過率は１０パーセントから２５パーセントとなる蒸着加減が望ましい。【００１７】  薄くメッキを施した乳半アクリル板は光を外部に向けて通すことができる。これをケーシングの前面に使用して前面発光としても良いし、側面に用いて側面発光としても良い。又は前面と側面の両方に用いても良い。【００１８】  ケーシング内部において金属製底板１の上に発光装置８を設置する。当該発光装置８をＬＥＤ式として内照式の光源とする。この発光装置８からの光は、積層乳半アクリル板７を乱反射して通過した後に外部に漏れ出る。その漏れ出た光によってイルミネーションとしての機能を発揮する。【００１９】  図２はケーシングの断面図であり、１は金属製底板である。当該金属製底板１の縁に側板２を立設する。金属製底板１と側板２が形成する入り隅４に半田付けを施して両者を固定する。７は積層乳半アクリル板である。当該積層乳半アクリル板７の外縁から側板２の厚み分の切り欠きを設ける。切り欠きにより段部ができ継ぎ手箇所を形成できる。当該継ぎ手箇所において積層乳半アクリル板７と側板２をビス５で解体可能にビス止めする。【００２０】  段落００１２乃至段落００１８の内容を図２の説明の場合にも援用する。【００２１】  図３及び図４はケーシングの断面図であり、ケーシングの構成、作用及び効果は図１を説明した段落の記載内容を援用する。【００２２】  図３及び図４において、９は基台であり、１０は積層有機ＥＬ板である。当該積層有機ＥＬ板１０は基台９の上に重ね合わせて接着している。当該基台９は絶縁性（樹脂）で表面が光を反射するものとする。積層有機ＥＬ板１０の構造を図３（イ）で説明すると、有機ＥＬ板１０ａの上面に対して直接に金属蒸着１０ｂを直接に施している。その上に糊１０ｃで樹脂フィルム１０ｄを接着している。基台９と積層有機ＥＬ板１０を合わせた全体としての光の透過率は１０パーセントから２５パーセントとなる蒸着加減が望ましい。【００２３】  図３及び図４における（ロ）は、積層有機ＥＬ板１０の他の実施例である。有機ＥＬ板１０ａに糊１０ｅで金属蒸着フィルム１０ｆを接着する。その上に糊１０ｃで樹脂フィルム１０ｄを接着している。【００２４��  金属蒸着面は極めて薄いメッキ層であり屋外での風雨にさらされるとメッキが剥がれるおそれがあり、これを防ぐ為に金属蒸着面を樹脂フィルムでラミネートするか又は樹脂材でコーティングする。【００２５】  基台９、積層有機ＥＬ板１０及びラミネート材或いはコーティング材を合わせた全体としての光の透過率は１０パーセントから２５パーセントとなる蒸着加減が望ましい。【００２６】  薄くメッキを施した積層有機ＥＬ板１０は有機ＥＬ板１０ａが出す光を外部に向けて通すことができる。これをケーシングの前面に使用して前面発光としても良いし、側面に用いて側面発光としても良い。又は前面と側面の両方に用いても良い。【００２７】  有機ＥＬ板１０ａを内照式の光源とする。当該有機ＥＬ板１０ａへの電源供給は電源供給線１１により行う。この光源からの光は既述した積層構造を通り抜けて外部に漏れ出る。その漏れ出た光によってイルミネーションとしての機能を発揮する。【００２８】  本考案は、図５における立て看板、図６における表札、図７における電飾サイン、図８における階段の手摺りにそれぞれ実施できる。それぞれの図中、７’は積層乳半アクリル板である。
【産業上の利用可能性】
【００２９】  本考案による物品は、金属の質感を有するもので、建物の外壁に取り付けられる箱文字、看板、建材、道具及び器材に広く実施でき、産業上の利用可能性が自明であり、本物品の開示により産業の発展に寄与する。
【図面の簡単な説明】
【００３０】
【図１】  ケーシングの断面図である。
【図２】  ケーシングの断面図である。
【図３】  ケーシングの断面図である。
【図４】  ケーシングの断面図である。
【図５】  立て看板の斜視図である。
【図６】  表札の斜視図である。
【図７】  電飾サインの斜視図である。
【図８】  階段の手摺りの斜視図である。
【符号の説明】
【００１８】  １    金属製底板
２    側板
３    立ち上げ壁
４    入り隅
５    ビス
６    入り隅
７    積層乳半アクリル板
７’  積層乳半アクリル板
７ａ  アクリル板
７ｂ  金属蒸着
７ｃ  糊
７ｄ  樹脂フィルム
７ｅ  糊
７ｆ  金属蒸着フィルム
８    発光装置
９    基台
１０    積層有機ＥＬ板
１０ａ  有機ＥＬ板
１０ｂ  金属蒸着
１０ｃ  糊
１０ｄ  樹脂フィルム
１０ｅ  糊
１０ｆ  金属蒸着フィルム
１１    電源供給線
【図１】
0003139461.tif 000003
【図２】
0003139461.tif 000004
【図３】
0003139461.tif 000005
【図４】
0003139461.tif 000006
【図５】
0003139461.tif 000007
【図６】
0003139461.tif 000008
【図７】
0003139461.tif 000009
【図８】
0003139461.tif 000010